(57)【要約】      （修正有）【課題】制御変量法の魚類餌効果試験器を提供する。【解決手段】本体を含み、本体の中には左右対称の貯蔵チャンバ４２が設けられ、貯蔵チャンバ４２の底側壁には餌やり管３６が設けられ、貯蔵チャンバ４２の間には上方に開口したボタンチャンバ４３が設けられ、貯蔵チャンバ４２の底側には駆動チャンバ３８が設けられ、駆動チャンバ３８と貯蔵チャンバ４２との間には送り装置１０１が設けられ、送り装置１０１は駆動チャンバ３８の頂壁にスライドできるように取り付けられた長ロッド６１を含み、長ロッド６１の底側には連結ブロック３９が固定的に設けられ、長ロッド６１の頂側が上へ伸び駆動チャンバ３８の頂壁を貫通してボタンチャンバ４３の中に入り、且つボタンチャンバ４３の底壁とスライドできるように連結されている。【選択図】図１
2020195359.tif 000002
【特許請求の範囲】
【請求項１】
正面視で、本体を含み、前記本体の中には左右対称の貯蔵チャンバが設けられ、前記貯蔵チャンバの底側壁には餌やり管が設けられ、前記貯蔵チャンバの間には上方に開口したボタンチャンバが設けられ、前記貯蔵チャンバの底側には駆動チャンバが設けられ、前記駆動チャンバと前記貯蔵チャンバとの間には送り装置が設けられ、
前記送り装置は前記駆動チャンバの頂壁にスライドできるように取り付けられた長ロッドを含み、前記長ロッドの底側には連結ブロックが固定的に設けられ、前記長ロッドの頂側が上へ伸び前記駆動チャンバの頂壁を貫通して前記ボタンチャンバの中に入り、且つ前記ボタンチャンバの底壁とスライドできるように連結され、前記長ロッドの頂側には前記ボタンチャンバとスライドできるように連結されたボタンが固定的に設けられ、前記ボタンと前記ボタンチャンバとの間にはボタンバネが連結され、前記連結ブロックにはヒンジロッドが左右に対称的にヒンジによって連結され、前記ヒンジロッドにはそれぞれ前記駆動チャンバの片側壁とスライドできるように連結された仕切り板がヒンジによって連結され、二つの前記仕切り板がそれぞれに対応する前記餌やり管へ伸びて前記駆動チャンバの片側壁を貫通して前記餌やり管の中に入り、且つ前記餌やり管の片側壁とスライドできるように連結され、前記仕切り板が完全に前記餌やり管を塞ぐことができ、二つの前記貯蔵チャンバの前後端壁にはそれぞれトーション軸が回転できるように連結され、前記トーション軸にはトーションバネが固定的に設けられ、前記トーションバネの片側が前記貯蔵チャンバの後側壁と固定的に連結され、前記トーションバネにはトーション板が固定的に設けられ、前記トーション板と前記貯蔵チャンバとがスライドできるように連結され、前記トーション板の頂面には前記貯蔵チャンバを開けることができる凸ブロックが固定的に設けられ、前記餌やり管の底側壁にはそれぞれ養殖空間が設けられ、前記養殖空間の底側壁には大歯車が設けられ、
前記養殖空間の頂壁にはパイプチャンバが設けられ、前記パイプチャンバの頂壁には吸水管が設けられ、前記パイプチャンバの左側壁には歯車チャンバが設けられ、前記養殖空間の中には養殖装置が設けられ、前記養殖装置が魚類を養殖でき、前記養殖空間の頂壁には排水口が設けられ、前記排水口の頂壁には濾過箱が設けられ、前記濾過箱の中には濾過装置が設けられ、前記濾過装置は魚類の糞を取り除くことができることを特徴とする制御変量法の魚類餌効果試験器。
【請求項２】
前記養殖装置は水槽と、ハンドルと、軟管と、硬管と、貫通軸と、小歯車と、長軸と、大歯車と、動力チャンバと、プーリーと、ベルトと、ねじ山ブロックとを含み、それぞれ二つの前記養殖空間の中には左右対称の前記水槽がスライドできるように取り付けられ、前記水槽の片側面には前記ハンドルが固定的に設けられ、前記パイプチャンバの頂側壁には前記吸水管と連通した前記軟管が設けられ、前記軟管の底側には前記硬管が固定的に設けられ、前記歯車チャンバの後側壁には前記貫通軸が回転できるように連結され、前記貫通軸には前記硬管と噛み合った前記小歯車が固定的に設けられ、前記駆動チャンバの後側壁には前記長軸が回転できるように連結され、前記長軸には前記水槽と噛合した前記大歯車が固定的に設けられ、前記養殖空間の後側には前記動力チャンバが設けられ、前記長軸と前記貫通軸とが後へ伸びて前記養殖空間の後側壁を貫通して前記動力チャンバの中に入り、且つ前記動力チャンバの前後側壁と回転できるように連結され、前記長軸と前記貫通軸とのうち前記動力チャンバに位置するところにはそれぞれ前記プーリーが固定的に設けられ、二つの前記プーリーの間には前記ベルトが連結され、前記貫通軸のうち前記動力チャンバの中に位置するところには前記動力チャンバとスライドできるように連結された前記ねじ山ブロックがねじ山によって連結されていることを特徴とする請求項１に記載の制御変量法の魚類餌効果試験器。
【請求項３】
前記濾過装置は水ポンプと、排水パイプと、スライド板と、メッシュ板と、押しバネと、妨害スライドチャンバと、位置制限チャンバと、妨害板と、位置制限機構とを含み、前記本体の中には前記水ポンプが固定的に取り付けられ、前記水ポンプと二本の前記吸水管とが連通しており、前記水ポンプには前記濾過箱と連通した前記排水パイプが二つ連結され、前記濾過箱の中には前記スライド板がスライドできるように連結され、前記スライド板の前側面には二つの前記メッシュ板が上下に対称的に設けられ、前記メッシュ板と前記濾過箱との間にはそれぞれ前記押しバネが連結され、前記濾過箱の底側壁には前記動力チャンバと連通した前記妨害スライドチャンバが設けられ、前記妨害スライドチャンバの前側壁には前記位置制限チャンバが設けられ、前記妨害スライドチャンバの中には前記妨害板がスライドできるように連結され、前記妨害板は前記スライド板を引っ掛かって固定することができ、前記位置制限チャンバの中には前記妨害板と固定的に連結された前記位置制限機構がスライドできるように連結され、前記妨害板は前記ねじ山ブロックと当接でき、前記ねじ山ブロックは前記妨害板を押し上げることができることを特徴とする請求項１に記載の制御変量法の魚類餌効果試験器。
【請求項４】
前記メッシュ板には一部の濾過材を置くことができ、水流は前記メッシュ板を通過することができることを特徴とする請求項３に記載の制御変量法の魚類餌効果試験器。
【請求項５】
軟管は軟性材で作られ、収縮できることを特徴とする請求項２に記載の制御変量法の魚類餌効果試験器。
【請求項６】
前記ねじ山ブロックの頂面と前記妨害板の底面とが弓形であり、前記ねじ山ブロックが前記妨害板を押し上げることができることを特徴とする請求項２に記載の制御変量法の魚類餌効果試験器。
【請求項７】
前記大歯車の直径は前記小歯車の直径より大きく、前記水槽を取り出す時、前記硬管が前記水槽の取り出しを邪魔しないことを特徴とする請求項２に記載の制御変量法の魚類餌効果試験器。
【請求項８】
前記水槽がガラス製であり、前記水槽を開けずに魚の成長具合を確認できることを特徴とする請求項２に記載の制御変量法の魚類餌効果試験器。
【発明の詳細な説明】
【技術分野】
【０００１】
本発明は魚類養殖分野を取り上げて、具体的には制御変量法の魚類餌効果試験器である。
【背景技術】
【０００２】
人々はより高い生活品質を求めるにつれ、飲食への要求もだんだん高くなり、一部の魚類養殖場に、餌の質は魚の成長にとって、極めて重要な役割を果たし、魚の成長速度と魚肉の質に大きく影響する。
しかし、開発された餌の実際の効果を普通の養殖方法で試験することが難しく、対照がない場合に、魚の成長速度や魚の活力などを試験することができない。
また、餌効果の対照実験に、組ずつに同じ量の餌を投入するには、毎回に量を測るなどのステップを行い、面倒くさくなる。
【先行技術文献】
【特許文献】
【０００３】
【特許文献１】中国特許出願公開第１０３６１５８８２号明細書
【発明の概要】
【発明が解決しようとする課題】
【０００４】
本発明の目的は制御変量法の魚類餌効果試験器を提供し、それは上記の現在の技術中の問題を解決できる。
【課題を解決するための手段】
【０００５】
上記の課題を解決するため、本発明は以下の技術プランを採用する：本発明の制御変量法の魚類餌効果試験器は、本体を含み、前記本体の中には左右対称の貯蔵チャンバが設けられ、前記貯蔵チャンバの底側壁には餌やり管が設けられ、前記貯蔵チャンバの間には上方に開口したボタンチャンバが設けられ、前記貯蔵チャンバの底側には駆動チャンバが設けられ、前記駆動チャンバと前記貯蔵チャンバとの間には送り装置が設けられ、
前記送り装置は前記駆動チャンバの頂壁にスライドできるように取り付けられた長ロッドを含み、前記長ロッドの底側には連結ブロックが固定的に設けられ、前記長ロッドの頂側が上へ伸び前記駆動チャンバの頂壁を貫通して前記ボタンチャンバの中に入り、且つ前記ボタンチャンバの底壁とスライドできるように連結され、前記長ロッドの頂側には前記ボタンチャンバとスライドできるように連結されたボタンが固定的に設けられ、前記ボタンと前記ボタンチャンバとの間にはボタンバネが連結され、前記連結ブロックにはヒンジロッドが左右に対称的にヒンジによって連結され、前記ヒンジロッドにはそれぞれ前記駆動チャンバの片側壁とスライドできるように連結された仕切り板がヒンジによって連結され、二つの前記仕切り板がそれぞれに対応する前記餌やり管へ伸びて前記駆動チャンバの片側壁を貫通して前記餌やり管の中に入り、且つ前記餌やり管の片側壁とスライドできるように連結され、前記仕切り板が完全に前記餌やり管を塞ぐことができ、二つの前記貯蔵チャンバの前後端壁にはそれぞれトーション軸が回転できるように連結され、前記トーション軸にはトーションバネが固定的に設けられ、前記トーションバネの片側が前記貯蔵チャンバの後側壁と固定的に連結され、前記トーションバネにはトーション板が固定的に設けられ、前記トーション板と前記貯蔵チャンバとがスライドできるように連結され、前記トーション板の頂面には前記貯蔵チャンバを開けることができる凸ブロックが固定的に設けられ、前記餌やり管の底側壁にはそれぞれ養殖空間が設けられ、前記養殖空間の底側壁には大歯車が設けられ、
前記養殖空間の頂壁にはパイプチャンバが設けられ、前記パイプチャンバの頂壁には吸水管が設けられ、前記パイプチャンバの左側壁には歯車チャンバが設けられ、前記養殖空間の中には養殖装置が設けられ、前記養殖装置が魚類を養殖でき、前記養殖空間の頂壁には排水口が設けられ、前記排水口の頂壁には濾過箱が設けられ、前記濾過箱の中には濾過装置が設けられ、前記濾過装置は魚類の糞を取り除くことができる。
【０００６】
更の技術プラン、前記養殖装置は水槽と、ハンドルと、軟管と、硬管と、貫通軸と、小歯車と、長軸と、大歯車と、動力チャンバと、プーリーと、ベルトと、ねじ山ブロックとを含み、それぞれ二つの前記養殖空間の中には左右対称の前記水槽がスライドできるように取り付けられ、前記水槽の片側面には前記ハンドルが固定的に設けられ、前記パイプチャンバの頂側壁には前記吸水管と連通した前記軟管が設けられ、前記軟管の底側には前記硬管が固定的に設けられ、前記歯車チャンバの後側壁には前記貫通軸が回転できるように連結され、前記貫通軸には前記硬管と噛み合った前記小歯車が固定的に設けられ、前記駆動チャンバの後側壁には前記長軸が回転できるように連結され、前記長軸には前記水槽と噛合した前記大歯車が固定的に設けられ、前記養殖空間の後側には前記動力チャンバが設けられ、前記長軸と前記貫通軸とが後へ伸びて前記養殖空間の後側壁を貫通して前記動力チャンバの中に入り、且つ前記動力チャンバの前後側壁と回転できるように連結され、前記長軸と前記貫通軸とのうち前記動力チャンバに位置するところにはそれぞれ前記プーリーが固定的に設けられ、二つの前記プーリーの間には前記ベルトが連結され、前記貫通軸のうち前記動力チャンバの中に位置するところには前記動力チャンバとスライドできるように連結された前記ねじ山ブロックがねじ山によって連結されている。
【０００７】
更の技術プラン、前記濾過装置は水ポンプと、排水パイプと、スライド板と、メッシュ板と、押しバネと、妨害スライドチャンバと、位置制限チャンバと、妨害板と、位置制限機構とを含み、前記本体の中には前記水ポンプが固定的に取り付けられ、前記水ポンプと二本の前記吸水管とが連通しており、前記水ポンプには前記濾過箱と連通した前記排水パイプが二つ連結され、前記濾過箱の中には前記スライド板がスライドできるように連結され、前記スライド板の前側面には二つの前記メッシュ板が上下に対称的に設けられ、前記メッシュ板と前記濾過箱との間にはそれぞれ前記押しバネが連結され、前記濾過箱の底側壁には前記動力チャンバと連通した前記妨害スライドチャンバが設けられ、前記妨害スライドチャンバの前側壁には前記位置制限チャンバが設けられ、前記妨害スライドチャンバの中には前記妨害板がスライドできるように連結され、前記妨害板は前記スライド板を引っ掛かって固定することができ、前記位置制限チャンバの中には前記妨害板と固定的に連結された前記位置制限機構がスライドできるように連結され、前記妨害板は前記ねじ山ブロックと当接でき、前記ねじ山ブロックは前記妨害板を押し上げることができる。
【０００８】
更の技術プラン、前記メッシュ板には一部の濾過材を置くことができ、水流は前記メッシュ板を通過することができる。
【０００９】
更の技術プラン、軟管は軟性材で作られ、収縮できる。
【００１０】
更の技術プラン、前記ねじ山ブロックの頂面と前記妨害板の底面とが弓形であり、前記ねじ山ブロックが前記妨害板を押し上げることができる。
【００１１】
更の技術プラン、前記大歯車の直径は前記小歯車の直径より大きく、前記水槽を取り出す時、前記硬管が前記水槽の取り出しを邪魔しない。
【００１２】
更の技術プラン、前記水槽がガラス製であり、前記水槽を開けずに魚の成長具合を確認できる。
【発明の効果】
【００１３】
本装置は魚に異なった種類の餌をやることができ、そして効果を対比し、これによって魚の成長具合を通じて餌の効果を判断することができ、また、装置は餌をやる時、二種類の餌を同時にやるため、一回に投入した餌の量が同じであり、二つの組の魚に異なった量の餌をやることを避け、これによって本装置の実験結果がより高い信憑性を備える。
また、本装置は水を濾過し、流水が硝化細菌を生むことができるため、魚類の糞や餌の屑を無害の硝酸塩に分解し、水質の安定を保障し、比較的に長い時間に水を取替らなくても大丈夫である。
【図面の簡単な説明】
【００１４】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の制御変量法の魚類餌効果試験器の全体断面の正面構成略図
【図２】図２は図１の後側の断面正面図
【図３】図３は図１のＢ―Ｂ方向の断面図
【図４】図４は図１のＡの部分拡大図
【発明を実施するための形態】
【００１６】
本発明書に開示した全ての特徴、或いは開示した全ての方法、過程中のステップは、互いに排斥する特徴或いはステップ以外に、いかなる方式で組み合わせることができる。
【００１７】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１８】
図１〜４を参照し、本発明の制御変量法の魚類餌効果試験器は、本体２１を含み、前記本体２１の中には左右対称の貯蔵チャンバ４２が設けられ、前記貯蔵チャンバ４２の底側壁には餌やり管３６が設けられ、前記貯蔵チャンバ４２の間には上方に開口したボタンチャンバ４３が設けられ、前記貯蔵チャンバ４２の底側には駆動チャンバ３８が設けられ、前記駆動チャンバ３８と前記貯蔵チャンバ４２との間には送り装置１０１が設けられ、前記送り装置１０１は前記駆動チャンバ３８の頂壁にスライドできるように取り付けられた長ロッド６１を含み、前記長ロッド６１の底側には連結ブロック３９が固定的に設けられ、前記長ロッド６１の頂側が上へ伸び前記駆動チャンバ３８の頂壁を貫通して前記ボタンチャンバ４３の中に入り、且つ前記ボタンチャンバ４３の底壁とスライドできるように連結され、前記長ロッド６１の頂側には前記ボタンチャンバ４３とスライドできるように連結されたボタン４５が固定的に設けられ、前記ボタン４５と前記ボタンチャンバ４３との間にはボタンバネ４４が連結され、前記連結ブロック３９にはヒンジロッド４０が左右に対称的にヒンジによって連結され、前記ヒンジロッド４０にはそれぞれ前記駆動チャンバ３８の片側壁とスライドできるように連結された仕切り板３７がヒンジによって連結され、二つの前記仕切り板３７がそれぞれに対応する前記餌やり管３６へ伸びて前記駆動チャンバ３８の片側壁を貫通して前記餌やり管３６の中に入り、且つ前記餌やり管３６の片側壁とスライドできるように連結され、前記仕切り板３７が完全に前記餌やり管３６を塞ぐことができ、二つの前記貯蔵チャンバ４２の前後端壁にはそれぞれトーション軸５９が回転できるように連結され、前記トーション軸５９にはトーションバネ６０が固定的に設けられ、前記トーションバネ６０の片側が前記貯蔵チャンバ４２の後側壁と固定的に連結され、前記トーションバネ６０にはトーション板５８が固定的に設けられ、前記トーション板５８と前記貯蔵チャンバ４２とがスライドできるように連結され、前記トーション板５８の頂面には前記貯蔵チャンバ４２を開けることができる凸ブロック５７が固定的に設けられ、前記餌やり管３６の底側壁にはそれぞれ養殖空間６２が設けられ、前記養殖空間６２の底側壁には大歯車３５が設けられ、前記養殖空間６２の頂壁にはパイプチャンバ２６が設けられ、前記パイプチャンバ２６の頂壁には吸水管２３が設けられ、前記パイプチャンバ２６の左側壁には歯車チャンバ２９が設けられ、前記養殖空間６２の中には養殖装置１０２が設けられ、前記養殖装置１０２が魚類を養殖でき、前記養殖空間６２の頂壁には排水口２５が設けられ、前記排水口２５の頂壁には濾過箱２２が設けられ、前記濾過箱２２の中には濾過装置１０３が設けられ、前記濾過装置１０３は魚類の糞を取り除くことができる。
【００１９】
前記養殖装置１０２はそれぞれ二つの前記養殖空間６２の中にスライドできるように取り付けられた左右対称の水槽３２を含み、前記水槽３２の片側面にはハンドル４１が固定的に設けられ、前記パイプチャンバ２６の頂側壁には前記吸水管２３と連通した軟管２７が設けられ、前記軟管２７の底側には硬管３１が固定的に設けられ、前記歯車チャンバ２９の後側壁には貫通軸２８が回転できるように連結され、前記貫通軸２８には前記硬管３１と噛み合った小歯車３０が固定的に設けられ、前記駆動チャンバ３３の後側壁には長軸３４が回転できるように連結され、前記長軸３４には前記水槽３２と噛合した大歯車３５が固定的に設けられ、前記養殖空間６２の後側には動力チャンバ５０が設けられ、前記長軸３４と前記貫通軸２８とが後へ伸びて前記養殖空間６２の後側壁を貫通して前記動力チャンバ５０の中に入り、且つ前記動力チャンバ５０の前後側壁と回転できるように連結され、前記長軸３４と前記貫通軸２８とのうち前記動力チャンバ５０に位置するところにはそれぞれプーリー４９が固定的に設けられ、二つの前記プーリー４９の間にはベルト６３が連結され、前記貫通軸２８のうち前記動力チャンバ５０の中に位置するところには前記動力チャンバ５０とスライドできるように連結されたねじ山ブロック４８がねじ山によって連結され、前記ハンドル４１により前記水槽３２を引き出し、前記水槽３２が前記大歯車３５と、前記長軸３４と、前記プーリー４９と、前記貫通軸２８と、前記小歯車３０とを回転連動させ、これによって前記硬管３１を前記パイプチャンバ２６の中に伸ばし、前記養殖装置１０２の作用は前記水槽３２の中に魚を養殖することであり、管理に便利である。
【００２０】
前記濾過装置１０３は前記本体２１の中に固定的に取り付けられた水ポンプ４７を含み、前記水ポンプ４７と二本の前記吸水管２３とが連通しており、前記水ポンプ４７には前記濾過箱２２と連通した排水パイプ４６が二つ連結され、前記濾過箱２２の中にはスライド板５５がスライドできるように連結され、前記スライド板５５の前側面には二つのメッシュ板２４が上下に対称的に設けられ、前記メッシュ板２４と前記濾過箱２２との間にはそれぞれ押しバネ５６が連結され、前記濾過箱２２の底側壁には前記動力チャンバ５０と連通した妨害スライドチャンバ６４が設けられ、前記妨害スライドチャンバ６４の前側壁には位置制限チャンバ５３が設けられ、前記妨害スライドチャンバ６４の中には妨害板５２がスライドできるように連結され、前記妨害板５２は前記スライド板５５を引っ掛かって固定することができ、前記位置制限チャンバ５３の中には前記妨害板５２と固定的に連結された位置制限機構５４がスライドできるように連結され、前記妨害板５２は前記ねじ山ブロック４８と当接でき、前記ねじ山ブロック４８は前記妨害板５２を押し上げることができ、これによって前記水ポンプ４７を始動し、前記水槽３２の中の水を前記硬管３１と、前記軟管２７と、前記吸水管２３とによって吸い上げ、水が前記排水パイプ４６を経由し前記濾過箱２２の中に入り、そして水が前記メッシュ板２４にある濾過材に濾過された後に前記排水口２５から流出して前記水槽３２の中に入り、前記貫通軸２８が回転する時、前記ねじ山ブロック４８を移動連動させ、これによって前記ねじ山ブロック４８と前記妨害板５２とが当接状態から離脱し、前記妨害板５２が前記位置制限機構５４により下方へ移動し、前記スライド板５５が前記押しバネ５６により前記スライド板５５と前記メッシュ板２４とを出し、濾過材を加えまたは取り替えることができ、前記濾過装置１０３の作用は水質を浄化することである。
【００２１】
前記メッシュ板２４には一部の濾過材を置くことができ、水流は前記メッシュ板２４を通過することができる。
【００２２】
軟管２７は軟性材で作られ、収縮できる。
【００２３】
前記ねじ山ブロック４８の頂面と前記妨害板５２の底面とが弓形であり、前記ねじ山ブロック４８が前記妨害板５２を押し上げることができる。
【００２４】
前記大歯車３５の直径は前記小歯車３０の直径より大きく、前記水槽３２を取り出す時、前記硬管３１が前記水槽３２の取り出しを邪魔しない。
【００２５】
前記水槽３２がガラス製であり、前記水槽３２を開けずに魚の成長具合を確認できる。
【００２６】
使用時に、まず二つの凸ブロック５７を上方へ引き、これによってトーション板５８を上へ回転させ、そして貯蔵チャンバ４２の中に対照用餌と新たに開発された餌とをそれぞれ投入し、そしてハンドル４１によって水槽３２を引き出し、水槽３２が大歯車３５と、長軸３４と、プーリー４９と、貫通軸２８と、小歯車３０とを回転連動させ、これによって硬管３１をパイプチャンバ２６の中に入れ、貫通軸２８が回転しねじ山ブロック４８を移動連動させ、これによってねじ山ブロック４８と妨害板５２とが当接状態から離脱し、妨害板５２が位置制限機構５４により下方へ移動し、スライド板５５が押しバネ５６によりスライド板５５とメッシュ板２４とを出し、メッシュ板２４に濾過材を加えあるいは取替、養殖空間６２の中に同じ量の水の稚魚とを投入し、そして水ポンプ４７を始動し、水槽３２の中の水が排水パイプ４６により濾過箱２２の中に入り、そして水がメッシュ板２４にある濾過材に濾過された後に排水口２５から流出して水槽３２の中に入り、濾過を終え、餌を添加する時、ボタン４５を下へ押し、これによって長ロッド６１と連結ブロック３９とを下方へ運動連動させ、これによってヒンジロッド４０により仕切り板３７を両側へ引き動かし、これによって餌やり管３６を開け、貯蔵チャンバ４２の中の餌が餌やり管３６を経由して水槽３２の中に落ちる。
【００２７】
本発明の有益効果は：本装置は魚に異なった種類の餌をやることができ、そして効果を対比し、これによって魚の成長具合を通じて餌の効果を判断することができ、また、装置は餌をやる時、二種類の餌を同時にやるため、一回に投入した餌の量が同じであり、二つの組の魚に異なった量の餌をやることを避け、これによって本装置の実験結果がより高い信憑性を備える。
【００２８】
また、本装置は水を濾過し、流水が硝化細菌を生むことができるため、魚類の糞や餌の屑を無害の硝酸塩に分解し、水質の安定を保障し、比較的に長い時間に水を取替らなくても大丈夫である。
【００２９】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020195359.tif 000003
【図２】
2020195359.tif 000004
【図３】
2020195359.tif 000005
【図４】
2020195359.tif 000006
【手続補正書】
【提出日】令和2年2月5日(2020.2.5)
【手続補正１】
【補正対象書類名】特許請求の範囲
【補正対象項目名】請求項１
【補正方法】変更
【補正の内容】
【請求項１】
正面視で、本体を含み、前記本体の中には左右対称の貯蔵チャンバが設けられ、前記貯蔵チャンバの底側壁には餌やり管が設けられ、前記貯蔵チャンバの間には上方に開口したボタンチャンバが設けられ、前記貯蔵チャンバの底側には駆動チャンバが設けられ、前記駆動チャンバと前記貯蔵チャンバとの間には送り装置が設けられ、前記送り装置は前記駆動チャンバの頂壁にスライドできるように取り付けられた長ロッドを含み、前記長ロッドの底側には連結ブロックが固定的に設けられ、前記長ロッドの頂側が上へ伸び前記駆動チャンバの頂壁を貫通して前記ボタンチャンバの中に入り、且つ前記ボタンチャンバの底壁とスライドできるように連結され、前記長ロッドの頂側には前記ボタンチャンバとスライドできるように連結されたボタンが固定的に設けられ、前記ボタンと前記ボタンチャンバとの間にはボタンバネが連結され、前記連結ブロックにはヒンジロッドが左右に対称的にヒンジによって連結され、前記ヒンジロッドにはそれぞれ前記駆動チャンバの片側壁とスライドできるように連結された仕切り板がヒンジによって連結され、二つの前記仕切り板がそれぞれに対応する前記餌やり管へ伸びて前記駆動チャンバの片側壁を貫通して前記餌やり管の中に入り、且つ前記餌やり管の片側壁とスライドできるように連結され、前記仕切り板が完全に前記餌やり管を塞ぐことができ、二つの前記貯蔵チャンバの前後端壁にはそれぞれトーション軸が回転できるように連結され、前記トーション軸にはトーションバネが固定的に設けられ、前記トーションバネの片側が前記貯蔵チャンバの後側壁と固定的に連結され、前記トーションバネにはトーション板が固定的に設けられ、前記トーション板と前記貯蔵チャンバとがスライドできるように連結され、前記トーション板の頂面には前記貯蔵チャンバを開けることができる凸ブロックが固定的に設けられ、前記餌やり管の底側壁にはそれぞれ養殖空間が設けられ、前記養殖空間の底側壁には大歯車が設けられ、前記養殖空間の頂壁にはパイプチャンバが設けられ、前記パイプチャンバの頂壁には吸水管が設けられ、前記パイプチャンバの左側壁には歯車チャンバが設けられ、前記養殖空間の中には養殖装置が設けられ、前記養殖装置が魚類を養殖でき、前記養殖空間の頂壁には排水口が設けられ、前記排水口の頂壁には濾過箱が設けられ、前記濾過箱の中には濾過装置が設けられ、前記濾過装置は魚類の糞を取り除くことができ、
一方の貯蔵チャンバに対照用餌を入れ、他方の貯蔵チャンバに新開発の餌を入れ、そしてボタンを押すことで、長ロッドと連結ブロックとは連動して下方へ運動し、ヒンジロッドによって仕切り板を両側へ引き、ここで餌やり管は開き、二種の餌は餌やり管に沿って対応する水槽に入ることができ、
水ポンプを始動し、水槽の中の水が排水パイプにより濾過箱の中に入り、そして水がメッシュ板にある濾過材に濾過された後に排水口から流出して水槽の中に入り、濾過を終えることを特徴とする制御変量法の魚類餌効果試験器。